(57)【要約】【課題】測定目的に応じて個々の表示項目の表示形態を任意に設定できる自由度の高い表示画面構成を有する信号測定装置を実現すること。【解決手段】信号の測定値および測定値に基づく演算結果の少なくともいずれかを表示項目の文字列として表示画面に表示するように構成された信号測定装置において、  前記表示画面は、測定目的に応じて個別に編集された背景画面と、測定・演算データ表示画面とが合成されたものであることを特徴とするもの。【選択図】                    図１
2011174996.tif 000002
【特許請求の範囲】
【請求項１】
信号の測定値および測定値に基づく演算結果の少なくともいずれかを表示項目の文字列として表示画面に表示するように構成された信号測定装置において、
前記表示画面は、測定目的に応じて個別に編集された背景画面と、測定・演算データ表示画面とが合成されたものであることを特徴とする信号測定装置。
【請求項２】
前記表示画面上における前記表示項目の各文字列の表示形態は、各表示項目に対応した描画情報により個別に設定できることを特徴とする請求項１記載の信号測定装置
【請求項３】
前記描画情報は、少なくとも表示画面上における位置、大きさおよび色のいずれかを含むことを特徴とする請求項１または請求項２記載の信号測定装置。
【請求項４】
前記信号測定装置は電力測定装置であることを特徴とする請求項１から請求項３のいずれかに記載の信号測定装置。
【発明の詳細な説明】
【技術分野】
【０００１】
本発明は、信号測定装置に関し、詳しくは、信号の測定結果を表示する表示画面の改善に関するものである。
【０００２】
信号測定装置の一種に、電力測定装置がある。電力測定装置は、電気機器の消費電力を測定する装置であり、家電製品、照明器具、産業用機器などの研究開発や生産ラインなどで幅広く使用されている。特に、近年、地球環境問題やエネルギー資源の有効活用の観点から、電力測定は重要項目のひとつになっている。
【０００３】
ところで、電力測定装置では、電圧、電流、電力などの基本的な測定項目以外にも、新エネルギー・代替エネルギーである太陽光発電や風力発電などの直流電力、交流電力、効率測定や、省エネルギー対策における微小電力、待機電力、スリープ時電力、稼動時電力などの測定、ハイブリッド自動車でのインバータ・モータ評価でのＰＷＭ（Pulse Width Modulation；パルス幅変調）信号の測定などにも使用されている。
【０００４】
従来の電力測定装置では、あらかじめ１つの画面に一度に表示させたい複数の表示項目が配列された複数種類の表示画面が用意されていて、それらの表示画面からユーザーが測定目的に合致していると判断した表示形式の表示画面を選択し、その表示画面上でユーザーが測定目的に対応するように各表示項目を選択設定する。
【０００５】
図６は、従来の電力測定装置の構成例を示すブロック図である。図６において、ＣＰＵ１は装置全体の動作を統括制御するとともに所定の演算処理も行うものであり、バスＢを介して各部と接続されている。
【０００６】
表示項目選択指定部２は、所望の表示項目を選択設定する機能ブロックであり、ユーザーが表示画面に設けられているメニュー領域を操作することにより、実行される。
【０００７】
測定・演算データ格納部３には、測定部４で測定されデジタル信号に変換される電圧・電流・周波数などの測定データが逐次格納されるとともに、これら測定データに基づいてたとえばＣＰＵ１で演算される電力や力率や位相などの演算データが格納される。
【０００８】
表示データ作成部５は、測定・演算データ格納部３に格納されている測定・演算データを読み出して、たとえばＡＳＣＩＩ変換された表示データを作成する。
【０００９】
測定・演算データ表示画面作成部６は、表示データ作成部５で作成された表示データに基づいて、測定・演算データのビットマップ化された表示画面を作成し、測定・演算データ表示画面格納部７に格納する。
【００１０】
背景画面データ格納部８には、無地の背景用画面データがビットマップ化されて格納されている。
【００１１】
表示画面合成部９は、測定・演算データ表示画面格納部７に格納されている測定・演算データのビットマップ化された表示画面と背景画面データ格納部８に格納されているビットマップ化された背景用の画面データとを合成し、合成画面格納部１０に格納する。
【００１２】
表示制御部１１は、合成画面格納部１０に格納されている測定結果を表示する合成画面を表示部１２に表示する。
【００１３】
図７はこのような従来の電力測定装置における初期表示画面例図であり、（Ａ）は表示項目が４個の例を示し、（Ｂ）は表示項目が８個の例を示し、（Ｃ）は表示項目が１６個の例を示し、（Ｄ）は表示項目が全ての例を示している。これら表示画面には、それぞれ表示項目領域Ａと、ユーザーが所望の表示項目を選択設定するためのメニュー領域Ｂが設けられている。
【００１４】
図８は図７の表示画面における各表示項目について数値データを表示する処理の流れを説明するフローチャートであり、表示項目数が「４」の場合を示している。図８において、はじめに、ユーザーにより選択設定される表示項目に基づき（ステップＳ１）、項目番号Ｎ＝１の表示項目データを取得する（ステップＳ２）。
【００１５】
続いて、別途測定された測定データと測定データに基づいて所定の演算が施された演算データが格納されている測定・演算データ格納部３から取得した表示項目データに対応した所定の測定・演算データを読み出して（ステップＳ３）、たとえばＡＳＣＩＩ変換された表示データを作成する（ステップＳ４）。
【００１６】
そして、作成された表示データに基づいてビットマップ化された数値データの表示イメージを作成し（ステップＳ５）、測定・演算データ表示画面格納部７に表示イメージを貼り付ける（ステップＳ６）。
【００１７】
ステップＳ７において、項目番号Ｎが表示項目数「４」に達するまで項目番号ＮをインクリメントしながらステップＳ１〜ステップＳ６を繰り返す。
【００１８】
項目番号Ｎが表示項目数「４」に達すると、ビットマップ化された無地の背景画面が読み出されて（ステップＳ８）、背景画面データ格納部８に貼り付けられる（ステップＳ９）。
【００１９】
その後、測定・演算データ表示画面格納部７の画面と背景画面データ格納部８との合成画面を（ステップＳ１０）、表示部１２の表示画面として出力する（ステップＳ１１）。
【００２０】
特許文献１には、個人各々の好みの出力形式で測定結果の情報を得ることができる個人別出力形式カスタマイズ機能付き身体測定装置の構成が記載されている。
【先行技術文献】
【特許文献】
【００２１】
【特許文献１】特開２００８−１０４８４９号公報
【発明の概要】
【発明が解決しようとする課題】
【００２２】
しかし、図７の表示画面によれば、表示項目の変更は、決められた表示項目数（４，８，１６）の中でしか行えない。たとえば、５項目を表示させたい場合には、８値表示を選択してそのうちの５項目を設定し、残りの３項目は空きにするか不要な項目をダミーで設定しておくしかない。
【００２３】
また、図７の表示画面では、各項目の描画位置が固定されている。すなわち、図７の表示形式では各表示項目が等間隔に配置されているため、関連のある表示項目をグルーピングして配置するなどの変更ができない。
【００２４】
また、各表示項目のフォントの大きさや色なども固定されている。このため、最も注目している表示項目のフォントを大きくしたり、色を付けて強調することができない。
【００２５】
さらに、表示画面の背景が無地であり、アプリケーションに応じた絵図などを表示できない。
【００２６】
本発明は、これらの問題点を解決するものであり、その目的は、測定目的に応じて個々の表示項目の表示形態を任意に設定できる自由度の高い表示画面構成を有する信号測定装置を実現することにある。
【課題を解決するための手段】
【００２７】
上記目的を達成するために、本発明のうち請求項１に記載の発明は、
信号の測定値および測定値に基づく演算結果の少なくともいずれかを表示項目の文字列として表示画面に表示するように構成された信号測定装置において、
前記表示画面は、測定目的に応じて個別に編集された背景画面と、測定・演算データ表示画面とが合成されたものであることを特徴とする。
【００２８】
請求項２記載の発明は、請求項１記載の信号測定装置において、
前記表示画面上における前記表示項目の各文字列の表示形態は、各表示項目に対応した描画情報により個別に設定できることを特徴とする。
【００２９】
請求項３記載の発明は、請求項１または請求項２記載の信号測定装置において、
前記描画情報は、少なくとも表示画面上における位置、大きさおよび色のいずれかを含むことを特徴とする。
【００３０】
請求項４記載の発明は、請求項１から請求項３のいずれかに記載の信号測定装置において、
前記信号測定装置は電力測定装置であることを特徴とする。
【発明の効果】
【００３１】
これらにより、個々の表示項目の表示形態を測定目的に応じて任意に設定でき、自由度の高い表示画面構成が得られる。
【図面の簡単な説明】
【００３２】
【図１】本発明の一実施例を示すブロック図である。
【図２】図１の動作の流れを説明するフローチャートである。
【図３】本発明における背景画面の具体例を示す説明図である。
【図４】本発明における描画情報の具体例を示す説明図である。
【図５】本発明に基づく合成画面の具体例を示す説明図である。
【図６】従来の電力測定装置の構成例を示すブロック図である。
【図７】従来の電力測定装置における初期表示画面例図である。
【図８】図７の表示画面における各表示項目について数値データを表示する処理の流れを説明するフローチャートである。
【発明を実施するための最良の形態】
【００３３】
以下、図面を参照して、本発明を詳細に説明する。図１は本発明の一実施例を示すブロック図であり、図６と共通する部分には同一の符号を付けている。図１と図６の異なる点は、測定・演算データの文字列について位置・サイズ・色などを個別に設定する描画情報を格納する描画情報格納部１３が設けられていることと、背景画面格納部９には無地ではなくユーザーの測定用途に応じてカスタマイズされた背景用の画面データが格納されていることである。
【００３４】
図１において、ＣＰＵ１は装置全体の動作を統括制御するとともに所定の演算処理も行うものであり、バスＢを介して各部と接続されている。
【００３５】
表示項目選択指定部２は、所望の表示項目を選択設定する機能ブロックであり、従来と同様に、ユーザーがたとえば表示画面に設けられているメニュー領域を操作することにより、実行される。また、ここでは表示項目数も設定できる。
【００３６】
測定・演算データ格納部３には、測定部４で測定されデジタル信号に変換される電圧・電流・周波数などの測定データが逐次格納されるとともに、これら測定データに基づいてたとえばＣＰＵ１で演算される電力や力率や位相などの演算データが格納される。
【００３７】
表示データ作成部５は、従来と同様に、測定・演算データ格納部３に格納されている測定・演算データを読み出して、たとえばＡＳＣＩＩ変換された表示データを作成する。
【００３８】
測定・演算データ表示画面作成部６は、表示データ作成部５で作成された表示データおよび描画情報格納部１３に格納されている測定・演算データの文字列それぞれについてあらかじめ個別に設定されている位置・サイズ・色を含む描画情報に基づいて、測定・演算データのビットマップ化された表示画面を作成し、測定・演算データ表示画面格納部７に格納する。
【００３９】
背景画面データ格納部８には、ユーザーの測定用途に応じてカスタマイズされた背景用の画面データがビットマップ化されて格納されている。
【００４０】
表示画面合成部９は、測定・演算データ表示画面格納部７に格納されている測定・演算データのビットマップ化された表示画面と背景画面データ格納部８に格納されているビットマップ化された背景用の画面データとを、ユーザーの測定用途に応じてカスタマイズされた測定結果を表示する画面としてビデオ合成し、合成画面格納部１０に格納する。
【００４１】
表示制御部１１は、合成画面格納部１０に格納されているユーザーの測定用途に応じてカスタマイズされた測定結果を表示する合成画面を表示部１３に表示する。
【００４２】
図２は図１の装置におけるユーザーの測定用途に応じてカスタマイズされた測定結果を表示する合成画面の表示処理の流れを説明するフローチャートであり、表示項目数が「５」の場合を示している。表示項目数は、従来のようにあらかじめ設定された４／８／１６のいずれかではなく、ユーザーの測定用途に応じてカスタマイズできる。
【００４３】
図２において、はじめに、ユーザーにより選択設定される表示項目に基づき（ステップＳ１）、項目番号Ｎ＝１の表示項目データを取得する（ステップＳ２）。
【００４４】
続いて、測定・演算データ格納部３から表示項目データに対応した所定の測定・演算データを読み出して（ステップＳ３）、たとえばＡＳＣＩＩ変換された表示データを作成する（ステップＳ４）。
【００４５】
そして、ステップＳ４で作成された表示データおよび描画情報格納部１３に格納されている測定・演算データの文字列それぞれについてあらかじめ個別に設定されている位置・サイズ・色を含む描画情報に基づいて（ステップＳ５）、測定・演算データのビットマップ化された表示画面を作成し（ステップＳ６）、測定・演算データ表示画面格納部７に表示イメージを貼り付ける（ステップＳ７）。ここで、測定結果の文字列は、背景のビットマップの図柄と重ならないように、ドット単位で位置指定できる。
【００４６】
ステップＳ８において、項目番号Ｎが表示項目数「５」に達するまで項目番号ＮをインクリメントしながらステップＳ１〜ステップＳ７を繰り返す。
【００４７】
項目番号Ｎが表示項目数「５」に達すると、ユーザーの測定用途に応じてカスタマイズされビットマップ化されている所定の背景用の画面データが読み出されて（ステップＳ９）、背景画面データ格納部８に貼り付けられる（ステップＳ１０）。
【００４８】
その後、測定・演算データ表示画面格納部７の画面と背景画面データ格納部８との合成画面を（ステップＳ１１）、表示部の表示画面として出力する（ステップＳ１２）。
【００４９】
図３は、本発明における背景画面の具体例を示す説明図である。図３の背景画面は、パワーコンディショナの運転状況について、必要な情報をリアルタイムで的確に把握できるようにカスタマイズされている。
【００５０】
図３において、パワーコンディショナには太陽電池モジュールで発電された１００〜２５０Ｖの直流電圧「１」が入力され、天候により電圧レベルが変動するため昇圧コンバータで３００Ｖの直流電圧に昇圧変換された信号「２」は、直流交流変換器により１００Ｖ（５０Ｈｚ／６０Ｈｚ）の商用交流電圧「３」に変換され出力される。なお、「１」〜「３」は図３において丸で囲まれた数字を表している。
【００５１】
このようなシステムの運転状況を的確に把握する情報としては、
１）太陽電池モジュールで発電された電力の情報
２）昇圧昇圧コンバータで昇圧された電力の情報
３）直流交流変換器で変換された電力の情報
４）昇圧コンバータの昇圧効率
５）直流交流変換器の変換効率
６）トータルの変換効率
が必要になる。
【００５２】
そこで、図３に示すように、システム構成のブロック図をビットマップで描画するとともに、昇圧コンバータの昇圧効率を表示する窓Ｗ２と直流交流変換器の変換効率を表示する窓Ｗ３とトータルの変換効率を表示する窓Ｗ１を設け、さらに、太陽電池モジュールで発電された電力の情報については直流電圧値を表示する窓Ｗ４と直流電流値を表示する窓Ｗ５と直流電力値を表示する窓Ｗ６を設け、昇圧昇圧コンバータで昇圧された電力の情報については直流電圧値を表示する窓Ｗ７と直流電流値を表示する窓Ｗ８と直流電力値を表示する窓Ｗ９を設け、直流交流変換器で変換された電力の情報については交流電圧値を表示する窓Ｗ１０と交流電流値を表示する窓Ｗ１１と交流電力値を表示する窓Ｗ１２と周波数値を表示する窓Ｗ１３を設けている。
【００５３】
なお、これら情報を表示する窓Ｗ１〜Ｗ１３は、システムの運転状況を的確に把握できるように階層化されたツリー構造状に配列されている。
【００５４】
図４は、描画情報格納部１３に格納されている描画情報ファイルの具体例図である。図３のそれぞれの値を表示する窓Ｗ１〜Ｗ１３について、Ｘ座標位置、Ｙ座標位置、フォントの大きさ、値の表示色などが描画情報ファイルとしてリスト化されている。
【００５５】
図５は、図３と図４に基づく本発明における合成画面の具体例図である。図５に示すように、昇圧コンバータの昇圧効率を表示する窓Ｗ２と直流交流変換器の変換効率を表示する窓Ｗ３とトータルの変換効率を表示する窓Ｗ１は、太陽電池モジュールで発電された電力の情報を表示する窓Ｗ４〜Ｗ６、昇圧昇圧コンバータで昇圧された電力の情報を表示する窓Ｗ７〜Ｗ９および直流交流変換器の変換効率を表示する窓Ｗ１０〜Ｗ１３よりも大きなサイズのフォントで表示されている。なお、図５の表示値は実測値ではなく、表示形態を確認するためのダミー値である。
【００５６】
このように、本発明によれば、個々の表示項目の表示形態に関する設定を描画情報のテキストファイルとして簡潔に記述したものを本体に読み込ませることにより、個々の表示項目の表示形態を測定目的に応じて任意に設定できる自由度の高い表示画面構成が実現でき、表示画面の設定メニューが複雑になることはない。
【００５７】
なお、上記実施例では、信号測定装置として電力測定装置の例について説明したが、これに限るものではなく、デジタルオシロスコーやプペーパーレスレコーダなどの各種の信号の変化を波形やトレンドとして表示記録する信号測定装置にも適用可能である。
【００５８】
以上説明したように、本発明によれば、測定目的に応じて個々の表示項目の表示形態を任意に設定できる自由度の高い表示画面構成を有する信号測定装置が実現できる。
【符号の説明】
【００５９】
１  ＣＰＵ
２  表示項目選択指定部
３  測定・演算データ格納部
４  測定部
５  表示データ作成部
６  測定・演算データ表示画面作成部
７  測定・演算データ表示画面格納部
８  データ部再利用率演算部
９  背景画面データ格納部
１０  表示画面合成部
１１  合成画面格納部
１２  表示制御部
１３  表示部
１４  描画情報格納部
【図１】
2011174996.tif 000003
【図２】
2011174996.tif 000004
【図３】
2011174996.tif 000005
【図４】
2011174996.tif 000006
【図６】
2011174996.tif 000007
【図７】
2011174996.tif 000008
【図８】
2011174996.tif 000009
【図５】
2011174996.tif 000010